(57)【要約】  一実施形態によるセルカバレージ外部に位置した端末が、セルカバレージ内部に位置したリレー端末にＴＭＧＩ（temporary mobile group identity）のモニタリングを要請するための要請メッセージを送信し、リレー端末から、近接端末間通信サービスでのレイヤ２グループ識別情報を含んだモニタリング応答メッセージを受信し、リレー端末がＴＭＧＩを検出することにより、ＴＭＧＩに係わるデータをレイヤ２グループ識別情報を利用して、受信する端末が通信を行う方法である。
2018524853.tif 000002
【特許請求の範囲】
【請求項１】
端末が通信を行う方法において、
セルカバレージ外部に位置した前記端末がセルカバレージ内部に位置したリレー端末に、ＴＭＧＩ（temporary mobile group identity）のモニタリングを要請するための要請メッセージを送信する段階と、
前記リレー端末から、近接端末間通信サービスでのレイヤ２グループ識別情報を含んだモニタリング応答メッセージを受信する段階と、
前記リレー端末で前記ＴＭＧＩが検出されることにより、前記リレー端末から、前記レイヤ２グループ識別情報を含んだＴＭＧＩ公知メッセージを受信する段階と、
前記ＴＭＧＩに係わるデータを、前記レイヤ２グループ識別情報を利用して、受信する段階と、を含む方法。
【請求項２】
前記セルカバレージ内部に位置した少なくとも１つのリレー端末から受信されたメッセージを基に、前記少なくとも１つのリレー端末を識別する段階をさらに含み、
前記要請メッセージを送信する段階は、
前記識別された少なくとも１つのリレー端末のうち選択されたリレー端末に、前記要請メッセージを送信することを特徴とする請求項１に記載の方法。
【請求項３】
前記モニタリング応答メッセージは、
前記レイヤ２グループ識別情報、及び前記ＴＭＧＩをモニタリングする時間に係わるタイマ情報を含むことを特徴とする請求項１に記載の方法。
【請求項４】
前記ＴＭＧＩ公知メッセージが受信されることにより、コンテンツを受信する段階をさらに含むことを特徴とする請求項１に記載の方法。
【請求項５】
前記ＴＭＧＩ公知メッセージの受信が中断されることにより、グループ通信アプリケーションサービスを提供するサーバに、ユニキャストディストリビューションレッグを要請する段階をさらに含むことを特徴とする請求項１に記載の方法。
【請求項６】
通信を行う端末において、
前記端末がセルカバレージ外部に位置することにより、セルカバレージ内部に位置したリレー端末を選択するプロセッサと、
前記リレー端末に、ＴＭＧＩ（temporary mobile group identity）のモニタリングを要請するための要請メッセージを送信し、前記リレー端末から、近接端末間通信サービスでのレイヤ２グループ識別情報を含んだモニタリング応答メッセージを受信し、前記リレー端末が前記ＴＭＧＩを検出することにより、前記レイヤ２グループ識別情報を含んだＴＭＧＩ公知メッセージを受信し、前記ＴＭＧＩに係わるデータを、前記レイヤ２グループ識別情報を利用して受信するＲＦ部と、を含む端末。
【請求項７】
前記プロセッサは、
前記セルカバレージ内部に位置した少なくとも１つのリレー端末から受信されたメッセージを基に、前記少なくとも１つのリレー端末を識別することを特徴とする請求項６に記載の端末。
【請求項８】
前記モニタリング応答メッセージは、
前記レイヤ２グループ識別情報、及び前記ＴＭＧＩをモニタリングする時間に係わるタイマ情報を含むことを特徴とする請求項６に記載の端末。
【請求項９】
前記ＲＦ部は、
前記ＴＭＧＩ公知メッセージが受信されることにより、コンテンツを受信することを特徴とする請求項６に記載の端末。
【請求項１０】
前記プロセッサは、
前記ＴＭＧＩ公知メッセージの受信が中断されることにより、グループ通信アプリケーションサービスを提供するサーバに、ユニキャストディストリビューションレッグを要請することを特徴とする請求項６に記載の端末。
【請求項１１】
通信を行うリレー端末において、
セルカバレージ外部に位置した端末からＴＭＧＩ（temporary mobile group identity）のモニタリングを要請するための要請メッセージを受信し、前記受信された要請メッセージに含まれたサービス地域ＩＤが、既設定のリストに含まれた少なくとも１つのサービス地域ＩＤに対応することにより、近接端末間通信サービスでのレイヤ２グループ識別情報を含んだモニタリング応答メッセージを前記端末に送信するＲＦ部と、
前記レイヤ２グループ識別情報を基に、前記ＴＭＧＩを検出するプロセッサと、を含み、
前記ＲＦ部は、前記ＴＭＧＩが検出されることにより、前記レイヤ２グループ識別情報を含んだＴＭＧＩ公知メッセージを前記端末に送信するリレー端末。
【請求項１２】
前記ＲＦ部は、
前記レイヤ２グループ識別情報を利用して、前記ＴＭＧＩに係わるデータを、前記端末に送信する段階をさらに含むことを特徴とする請求項１１に記載のリレー端末。
【請求項１３】
前記モニタリング応答メッセージは、
前記レイヤ２グループ識別情報、及び前記ＴＭＧＩをモニタリングする時間に係わるタイマ情報を含むことを特徴とする請求項１１に記載のリレー端末。
【請求項１４】
前記プロセッサは、
前記タイマ情報を基に判断した結果、前記ＴＭＧＩをモニタリングする時間が満了した場合、前記ＴＭＧＩ公知メッセージの送信を中断する段階をさらに含むことを特徴とする請求項１３に記載のリレー端末。
【発明の詳細な説明】
【技術分野】
【０００１】
本発明は、無線通信システムにおいて通信を行う方法、無線通信システムにおいて通信を行うための装置、及び無線通信システムにおいて通信を行う方法を遂行するプログラムが記録された記録媒体に関する。
【背景技術】
【０００２】
近接サービス（ＰｒｏＳｅ：proximity service）は、物理的に近くに位する装置（device）間の通信を支援する方案を意味する。具体的には、該ＰｒｏＳｅは、互いに近接した装置において動作するアプリケーションを探索（discover）し、窮極的には、アプリケーション関連データを交換する動作を支援することを目的にする。例えば、ソーシャルネットワークサービス（ＳＮＳ）、商業、ゲームなどのアプリケーションに、該ＰｒｏＳｅが適用されることを考慮することができる。
【０００３】
該ＰｒｏＳｅは、デバイス・ツー・デバイス（Ｄ２Ｄ：device-to-device）通信とも称される。すなわち、複数個の装置（例えば、端末（ＵＥ：user equipment））間に直接リンクを設定し、ネットワークを経ずに、ユーザデータ（例えば、音声、マルチメディアデータなど）を装置間で直接やり取りする通信方式をいう。ＰｒｏＳｅ通信は、端末対端末（ＵＥ−to−ＵＥ）通信、ピア・ツー・ピア（peer-to-peer）通信などの方式を含んでもよい。また、ＰｒｏＳｅ通信方式は、Ｍ２Ｍ（machine-to-machine）通信、ＭＴＣ（machine type communication）などにも応用される。従って、該ＰｒｏＳｅは、急速に増加するデータトラフィックによる基地局の負担を解決することができる１つの方案として考慮されている。また、該ＰｒｏＳｅを取り入れることにより、基地局の手続き減少、該ＰｒｏＳｅに参加する装置の消費電力減少、データ伝送速度増大、ネットワークの受容能上昇、負荷分散、セルカバレージ拡大などの効果を期待することができる。
【発明の概要】
【発明が解決しようとする課題】
【０００４】
開示された実施形態は、端末に、近接サービス通信及びｅＭＢＭＳサービスを支援することにより、該端末がカバレージを外れる場合にも、該端末にデータを容易に提供することができる。
【課題を解決するための手段】
【０００５】
一実施形態による、端末が通信を行う方法は、セルカバレージ外部に位置した端末が、セルカバレージ内部に位置したリレー端末に、ＴＭＧＩ（temporary mobile group identity）のモニタリングを要請するための要請メッセージを送信する段階と、該リレー端末から、近接端末間通信サービスでのレイヤ２グループ識別情報を含んだモニタリング応答メッセージを受信する段階と、該リレー端末が、前記ＴＭＧＩを検出することにより、前記レイヤ２グループ識別情報を含んだＴＭＧＩ公知メッセージを受信する段階と、該ＴＭＧＩに係わるデータを、前記レイヤ２グループ識別情報を利用して受信する段階と、を含む。
【図面の簡単な説明】
【０００６】
【図１】一実施形態による無線通信システムについて説明するための図面である。
【図２】一実施形態による、セルカバレージ外部にある端末が、ＧＣＳＡＳのシグナル及びデータを受信する方法について説明するためのフローチャートである。
【図３】一実施形態による、セルカバレージ外部にある端末が、ＧＣＳＡＳのシグナル及びデータを受信する方法について、さらに詳細に説明するためのフローチャートである。
【図４】一実施形態による、リレー端末がセルカバレージ外部にある端末に、ＴＭＧＩ情報及びレイヤ２グループ識別情報を提供する方法について説明するためのフローチャートである。
【図５】一実施形態による、リレー端末が、セルカバレージ外部にある端末にＴＭＧＩ情報及びレイヤ２グループ識別情報を提供する方法について、さらに詳細に説明するためのフローチャートである。
【図６】一実施形態による、リレー端末、及びセルカバレージ外部にある端末が、ＧＣＳＡＳのシグナル及びデータを送受信する方法について説明するためのフローチャートである。
【図７】他の実施形態による、リレー端末、及びセルカバレージ外部にある端末が、ＧＣＳＡＳのシグナル及びデータを送受信する方法について説明するためのフローチャートである。
【図８】他の実施形態による、リレー端末、及びセルカバレージ外部にある端末が、ＧＣＳＡＳのシグナル及びデータを送受信する方法について説明するためのフローチャートである。
【図９】一実施形態による、リレー端末、並びにセルカバレージ外部にある端末１及び端末２街ＧＣＳＡＳのシグナル及びデータを送受信する方法について説明するためのフローチャートである。
【図１０】本発明の実施形態が具現される端末を示したブロック図である。
【図１１】本発明の実施形態が具現されるリレー端末を示したブロック図である。
【発明を実施するための形態】
【０００７】
本発明の実施形態は、少なくとも前述の問題点及び／または短所を解消し、少なくとも後述する利点を提供するのである。従って、本発明の目的は、近距離領域サービス（ＰｒｏＳｅ）通信、及び進化されたマルチメディアブロードキャストマルチキャストサービス（ｅＭＢＭＳ）を支援し、端末機がサービス領域を外れても、端末機にサービスを容易に提供することができるデータ伝送装置及び方法を提供するところにある。
【０００８】
追加の様相は、部分的には、以下の詳細な説明に記載するが、部分的には、詳細な説明から明確であり、または提示された実施形態の実施によっても習得される。
【０００９】
本発明の一実施形態による、端末が通信を行う方法は、セルカバレージ外部に位置した前記端末が、セルカバレージ内部に位置したリレー端末に、ＴＭＧＩ（temporary mobile group identity）のモニタリングを要請するための要請メッセージを送信し、リレー端末から、近接端末間通信サービスでのレイヤ２グループ識別情報を含んだモニタリング応答メッセージを受信し、リレー端末において、前記ＴＭＧＩが検出されることにより、前記リレー端末から、前記レイヤ２グループ識別情報を含んだＴＭＧＩ公知メッセージを受信し、前記ＴＭＧＩに係わるデータを、前記レイヤ２グループ識別情報を利用して受信することができる。
【００１０】
本発明の一実施形態による、リレー端末が通信を行う方法は、セルカバレージ内部に位置した前記リレー端末が、セルカバレージ外部に位置した端末からＴＭＧＩのモニタリングを要請するための要請メッセージを受信し、前記受信された要請メッセージに含まれたサービス地域ＩＤが、既設定のリストに含まれた少なくとも１つのサービス地域ＩＤに対応されることにより、近接端末間通信サービスでのレイヤ２グループ識別情報を含んだモニタリング応答メッセージを前記端末に送信し、前記レイヤ２グループ識別情報を基に、前記ＴＭＧＩを検出することにより、前記レイヤ２グループ識別情報を含んだＴＭＧＩ公知メッセージを、前記端末に送信することができる。
【００１１】
本発明の一実施形態によって、通信を行う端末が提供される。該端末は、セルカバレージ外部に位置することにより、セルカバレージ内部に位置したリレー端末を選択するプロセッサ及び前記リレー端末に、ＴＭＧＩのモニタリングを要請するための要請メッセージを送信し、前記リレー端末から、近接端末間通信サービスでのレイヤ２グループ識別情報を含んだモニタリング応答メッセージを受信し、前記リレー端末が前記ＴＭＧＩを検出することにより、前記レイヤ２グループ識別情報を含んだＴＭＧＩ公知メッセージを受信し、前記ＴＭＧＩに係わるデータを、前記レイヤ２グループ識別情報を利用して受信するＲＦ部を含んでもよい。
【００１２】
本発明の実施形態によって、通信を行うリレー端末が提供される。該リレー端末は、セルカバレージ外部に位置した端末から、ＴＭＧＩのモニタリングを要請するための要請メッセージを受信し、前記受信された要請メッセージに含まれたサービス地域ＩＤが、既設定のリストに含まれた少なくとも１つのサービス地域ＩＤに対応することにより、近接端末間通信サービスでのレイヤ２グループ識別情報を含んだモニタリング応答メッセージを前記端末に送信するＲＦ部及び前記レイヤ２グループ識別情報を基に、前記ＴＭＧＩを検出するプロセッサを含み、前記ＲＦ部は、前記ＴＭＧＩが検出されることにより、前記レイヤ２グループ識別情報を含んだＴＭＧＩ公知メッセージを前記端末に送信することができる。
【００１３】
本発明の一実施形態によれば、一時的にコンピュータで読み取り可能な記録媒体は、コンピュータで実行されるとき、前記方法を遂行するコンピュータプログラムを記録したことを特徴にする。
【００１４】
本開示の他の様相、長所、及び顕著な特徴は、添付された図面と係わってなされる以下の詳細な説明から当業者に明白であり、それは、本開示の多様な実施形態を開示する。
【００１５】
以下の実施形態は、本発明の構成要素及び特徴を所定形態に結合したものである。各構成要素または特徴は、別途の明示上言及がない限り、選択的なものであると考慮される。各構成要素または特徴は、他の構成要素や特徴と結合されていない形態でも実施される。また、一部構成要素及び／または特徴を結合し、本発明の実施形態を構成することもできる。本発明の実施形態で説明される動作の順序は、変更されてもよい。ある実施形態の一部構成や特徴は、他の実施形態にも含まれ、または他の実施形態の対応する構成または特徴とも交替される。
【００１６】
以下の説明において使用される特定用語は、本発明の理解の一助とするために提供されたものであり、かような特定用語の使用は、本発明の技術的思想を外れない範囲で、他の形態にも変更される。
【００１７】
いくつかの場合、本発明の概念が曖昧になることを避けるために、公知の構造及び装置は、省略されたり、各構造及び装置の核心機能を中心としたブロック図形式で図示されたりもする。また、本明細書全体において、同一構成要素については、同一図面符号を使用して説明する。
【００１８】
本発明の実施形態は、ＩＥＥＥ（Institute of Electrical and Electronics Engineers）８０２系システム、３ＧＰＰシステム、３ＧＰＰ ＬＴＥ（long term evolution）システム及び３ＧＰＰ ＬＴＥ−Ａシステム、並びに３ＧＰＰ２システムのうち少なくとも一つについて開示された標準文書によっても裏付けられる。すなわち、本発明の実施形態のうち、本発明の技術的思想を明確に示すために、説明されていない段階または部分は、前記文書によっても裏付される。また、本文書で開示している全ての用語は、前記標準文書によっても説明される。
【００１９】
以下の技術は、多様な無線通信システムで使用される。明確性のために、以下では、３ＧＰＰ ＬＴＥシステム及び３ＧＰＰ ＬＴＥ−Ａシステムについて主として説明するが、本発明の技術的思想は、それらに制限されるものではない。
【００２０】
本文書で使用される用語は、次のように定義される。
【００２１】
−ＵＥ（user equipment）：ユーザ機器。ＵＥは、端末（terminal）、ＭＥ（mobile equipment）、ＭＳ（mobile station）などの用語としても言及される。また、ＵＥは、ノート型パソコン、携帯電話、ＰＤＡ（personal digital assistant）、スマートフォン、マルチメディア機器のように、携帯可能な機器でもあり、またはＰＣ（personal computer）、車両搭載装置のように、携帯不可能な機器でもある。ＵＥは、ＬＴＥのような３ＧＰＰスペクトル（spectrum）及び／またはＷｉＦｉ（wireless fidelity）、公共安全（public safety）用スペクトルのような非３ＧＰＰスペクトルで通信が可能なＵＥである。
【００２２】
−近接サービス（ＰｒｏＳｅ：proximity servicesまたはproximity-based services）：物理的に近接した装置間の探索（discovery）、及び相互直接的な通信／基地局を介した通信／第３の装置を介した通信を可能にするサービス。このとき、ユーザ平面データ(user plane data）は、３ＧＰＰコアネットワーク（例えば、ＥＰＣ）を経ず、直接データ経路（direct data path）を介して交換される。
【００２３】
−近接性（proximity）：あるＵＥが他のＵＥと近接しているか否かということは、所定の近接性基準が満足されるか否かということによって決定される。該近接性基準は、ＰｒｏＳｅ探索及びＰｒｏＳｅ通信（communication）に対して、異なっても与えられる。また、該近接性基準は、事業者の制御対象としても設定される。
【００２４】
−近接サービス探索（ＰｒｏＳｅ discovery）：Ｅ−ＵＴＲＡを使用するか、あるいはＵＥ同士どのＵＥが他のＵＥに近接しているということを識別する過程。
【００２５】
−近接サービス通信（ＰｒｏＳｅ communication）：ＵＥ間に形成された（established）通信経路を介して遂行される、近接したＵＥ間の通信。前記通信経路は、ＵＥ間で直接的に形成されるか、あるいはローカル基地局（ｅＮｏｄｅＢ）を介してルーティングされもする。
【００２６】
図１は、一実施形態による無線通信システム１００について説明するための図面である。
【００２７】
一実施形態による無線通信システム１００は、グループ通信サービスアプリケーションサーバ１１０、基地局１２０、リレー端末１３０及び端末１４０を含んでもよい。
【００２８】
図１に図示された無線通信システム１００には、本実施形態と係わる構成要素だけが図示されている。従って、図１に図示された構成要素以外に、他の汎用的な構成要素がさらに含まれてもよいということは、本実施形態と係わる技術分野で当業者であるならば、理解することができるであろう。
【００２９】
一実施形態によるグループ通信サービスアプリケーションサーバ１１０（ＧＣＳ ＡＳ：group communication service application server）は、端末のグループに、アプリケーションシグナルとデータとを伝送することができる。
【００３０】
例えば、ＧＣＳ ＡＳ １１０は、セッション管理及びグループ管理のためのシグナルを、端末１４０と送受信することができる。また、ＧＣＳ ＡＳ １１０は、ダウンリンクパケットをＬＴＥユニキャスト技術で伝送するか、あるいはＬＴＥ基盤同時動画送信技術（ｅＭＢＭＳ：evolved multimedia broadcast multicast servic）で伝送するかということを決定することができる。
【００３１】
一方、ＧＣＳ ＡＳ １１０は、特定セルカバレージが割り当てられた基地局１２０を介して、端末のグループに対するセッション管理及びグループ管理のためのシグナルと、コンテンツに係わるデータと、を送信することができる。
【００３２】
一実施形態による基地局１２０は、一般的に、リレー端末１３０及び端末１４０のうち少なくとも一つと通信する地点（station）をいい、ｅＮｏｄｅＢ（evolved−NodeＢ）、ＢＴＳ（base transceiver system）、アクセスポイント（access point）、フェムト基地局（femto−ｅＮＢ）、ピコ基地局（pico−ｅＮＢ）、ホーム基地局（Home ｅＮＢ）、リレー（relay）のような他の用語でも呼ばれる。基地局１２０は、少なくとも１つのセルを、リレー端末１３０及び端末１４０のうち少なくとも一つに提供することができる。該セルは、基地局１２０が通信サービスを提供する地理的領域を意味することもでき、特定周波数帯域をも意味する。該セルは、下向きリンク周波数資源と、上向きリンク周波数資源とを意味する。または、該セルは、下向きリンク周波数資源と、選択的な（optional）上向きリンク周波数資源との組み合わせ（combination）をも意味する。
【００３３】
一実施形態によるリレー端末１３０は、基地局１２０のセルカバレージ内にあるデバイスであり、基地局１２０から、アプリケーションシグナルとデータとを受信することができる。また、リレー端末１３０は、セルカバレージ外部にある端末１４０と通信することができる。例えば、リレー端末１３０は、セルカバレージ内において、リレー端末１３０が獲得したシグナルまたはデータを、端末１４０に送信することができる。
【００３４】
一方、端末１４０がＭＢＭＳサービスを受信している間、位置移動によって、セルを変更する場合、ＭＢＭＳサービス受信を連続しておこなうことができない状態が発生する。リレー端末１３０は、セルカバレージ外部に移動した端末１４０が、ＭＢＭＳサービスを提供されるように、一時的レイヤ２グループ識別情報（ＴＭＧＩ：temporary mobile group identity）を端末１４０に送信することができる。
【００３５】
ここで、ＭＢＭＳサービスは、セル基盤（cell-based）または地理基盤（geography-based）で、管理されたり地域化（localization）されたりする。ＭＢＭＳサービス地域（service area）は、特定のＭＢＭＳサービスが提供される地域を広くいう用語である。例えば、特定のＭＢＭＳサービスＡが進められる地域をｅＭＢＭＳサービス地域Ａというならば、ＭＢＭＳサービス地域Ａにおいて、ネットワークは、ＭＢＭＳサービスＡを送信している状態でもある。このとき、端末１４０は、端末１４０の性能（capability）により、ＭＢＭＳサービスＡを受信することができる。該ＭＢＭＳサービス領域は、特定のサービスが一定地域で提供されるか否かということに係わる応用（application）及びサービスの観点で定義される。
【００３６】
一実施形態による端末１４０は、移動性を有することができる。例えば、端末１４０は、基地局１２０のセルカバレージ内に位置していて、セルカバレージ外部に移動することができる。端末１４０は、セルカバレージ外部において、リレー端末１３０に、端末１４０のＴＭＧＩ情報を含んだＴＭＧＩモニタリング要請メッセージを送信することができる。
【００３７】
端末１４０は、リレー端末１３０から、端末１４０のＴＭＧＩ情報が認証されることにより、近接端末間通信サービス（proximity-based service）のためのＰｒｏｓｅデータリンク階層グループ識別情報（以下、レイヤ２グループ識別情報）を提供される。レイヤ２グループ識別情報は、ＴＭＧＩに対応するＭＢＭＳトラフィックを伝送するグループのデータリンク階層識別子である。
【００３８】
端末１４０は、提供されたレイヤ２グループ識別情報を利用して、近接端末間通信サービスで提供する無線インターフェースを介して、セルカバレージ外部でも、アプリケーションに係わるシグナル及びデータを提供される。
【００３９】
一方、無線通信システムにおいて、リレー検出追加情報（relay discovery additional information）メッセージは、ＰｒｏＳｅリレー端末１３０の識別情報、ＴＭＧＩ情報、レイヤ２グループ識別情報を含んでもよい。
【００４０】
また、シングルリレー検出追加情報メッセージは、リレー端末１３０がキャンプオンされている（camped-on）ＥＣＧＩ、少なくとも１つのＴＭＧＩ、及び対応するレイヤ２グループ識別情報を、許容される最大メッセージサイズ内で含んでもよい。
【００４１】
図２は、一実施形態による、セルカバレージ外部にある端末１４０が、ＧＣＳ ＡＳのシグナル及びデータを受信する方法について説明するためのフローチャートである。
【００４２】
段階Ｓ２１０において、セルカバレージ外部に位置した端末１４０は、セルカバレージ内部に位置したリレー端末に、ＴＭＧＩ情報のモニタリングを要請するための要請メッセージを送信する。
【００４３】
一実施形態による端末１４０は、セルカバレージ外部に移動する前、セルカバレージ内部において、ユーザサービスディスクリプション（user service description）を提供される。該ユーザサービスディスクリプション内には、ｅＭＢＭＳコンテンツデータを提供されるためのＴＭＧＩ情報、ＭＢＭＳサービス領域ＩＤ（ＭＢＭＳ ＳＡＩ：ＭＢＭＳ service area identification）及び周波数帯域などに係わる情報が含まれてもよい。
【００４４】
また、端末１４０は、セルカバレージ内部に位置した少なくとも１つのリレー端末のうちいずれか一つ１３０を選択することができる。ここで、端末１４０は、リレー端末１３０が送信するメッセージを介して、リレー端末１３０の存在を確認することができるが、これは、本発明の一実施形態であるのみ、端末１４０がリレー端末１３０を選択する方法は、それに限定されるものではない。
【００４５】
一実施形態による端末１４０は、セルカバレージ外部に移動することにより、ｅＭＢＭＳコンテンツデータを提供されるために、選択されたリレー端末１３０に、ＴＭＧＩモニタリング要請のための要請メッセージを送信することができる。ここで、該要請メッセージには、端末１４０のＴＭＧＩ情報、及び少なくとも１つのＭＢＭＳ ＳＡＩなどが含まれてもよい。端末１４０は、ユーザサービスディスクリプションから、ＴＭＧＩ情報、及び少なくとも１つのＭＢＭＳ ＳＡＩ情報を獲得することができる。
【００４６】
一方、それは、一実施形態であるのみ、他の例によって、該要請メッセージには、端末１４０が、近接端末間通信サービスのためにあらかじめ提供されたグループ通信に、レイヤ２グループ識別情報がさらに含まれてもよい。また、さらに他の例によって、該要請メッセージには、ＴＭＧＩ情報、少なくとも１つのＭＢＭＳ ＳＡＩ以外に、レイヤ２グループ識別情報と、リレー端末１３０を介したデータ受信のためにすでに設定されているリレーレイヤ２グループ識別情報とのうちいずれか一つが含まれてもよい。
【００４７】
段階Ｓ２２０において、端末１４０は、リレー端末１３０から、近接端末間通信サービスでのレイヤ２グループ識別情報を含んだモニタリング応答メッセージを受信する。
【００４８】
一実施形態による端末１４０は、リレー端末１３０が、端末１４０の要請メッセージに含まれた少なくとも１つのＭＢＭＳ ＳＡＩのうち少なくとも一つを検出することにより、リレー端末１３０から、モニタリング応答メッセージを受信することができる。ここで、該モニタリング応答メッセージには、近接端末間通信サービスのためのレイヤ２グループ識別情報、及びＴＭＧＩモニタリングリフレッシュタイマに係わる情報が含まれてもよい。ただし、それは、一実施形態であるのみ、モニタリング応答メッセージに含まれた情報は、前述のところに限定されるものではない。
【００４９】
段階Ｓ２３０において、端末１４０は、リレー端末１３０が、既保存のＴＭＧＩリスト内で、端末１３０のＴＭＧＩ情報を検出することにより、レイヤ２グループ識別情報を含んだＴＭＧＩ公知メッセージを受信する。
【００５０】
一実施形態によって、ＴＭＧＩ公知メッセージは、ＴＭＧＩモニタリングリフレッシュタイマより短周期で反復し、端末１３０に受信されることができる。ここで、ＴＭＧＩ公知メッセージに含まれたＴＭＧＩ情報は、リレー端末選択のための参照情報として、他の端末にも利用される。
【００５１】
一方、他の例によって、ＴＭＧＩ公知メッセージには、レイヤ２グループ識別情報及びリレーレイヤ２グループ識別情報のうちいずれか一つが含まれてもよい。
【００５２】
段階Ｓ２４０において、端末１４０は、レイヤ２グループ識別情報を利用して、ＴＭＧＩと係わるデータを受信する。
【００５３】
一実施形態による端末１４０は、レイヤ２グループ識別情報を利用して、ＴＭＧＩと係わるデータを、近接端末間通信サービスで提供する無線インターフェースを介して、受信することができる。ここで、該無線インターフェースは、近接端末間通信サービスにおいて、デバイスと、他のデバイスとの間でのデータ送受信のために定義された無線インターフェースでもある。例えば、該無線インターフェースは、ＰＣ５でもある。
【００５４】
図３は、一実施形態による、セルカバレージ外部にある端末１４０が、ＧＣＳ ＡＳのシグナル及びデータを受信する方法について、さらに詳細に説明するためのフローチャートである。
【００５５】
段階Ｓ３１０において、端末１４０は、近接端末間通信サービスを提供されるためのリレー端末１３０を選択することができる。
【００５６】
一実施形態による端末１４０は、セルカバレージ内部にある少なくとも１つのリレー端末が送信するメッセージを介して、少なくとも１つのリレー端末の存在を確認することができる。端末１４０は、少なくとも１つのリレー端末のうちいずれか一つを選択することができる。
【００５７】
一実施形態による端末１４０は、セルカバレージ内部において、グループ通信アプリケーションサービスと係わるユーザサービスディスクリプションを提供される。ここで、該ユーザサービスディスクリプションには、受信しようとするｅＭＢＭＳコンテンツデータと係わるＴＭＧＩ情報、周波数帯域情報、及び少なくとも１つのＭＢＭＳサービス地域ＩＤ情報のうち少なくとも一つが含まれてもよい。
【００５８】
段階Ｓ３２０において、セルカバレージ外部に位置した端末１４０は、セルカバレージ内部に位置したリレー端末に、ＴＭＧＩ情報のモニタリングを要請するためのモニタリング要請メッセージを送信することができる。
【００５９】
ここで、該要請メッセージには、端末１４０のＴＭＧＩ情報、及び少なくとも１つのＭＢＭＳ ＳＡＩなどが含まれてもよい。一方、それは、一実施形態であるのみ、他の例によって、要請メッセージには、端末１４０が、近接端末間通信サービスのためにあらかじめ提供されたレイヤ２グループ識別情報が、さらに含まれてもよい。また、さらに他の例によって、要請メッセージには、ＴＭＧＩ情報、少なくとも１つのＭＢＭＳ ＳＡＩ以外に、レイヤ２グループ識別情報と、リレー端末１３０を介したデータ受信のためにすでに設定されているリレーレイヤ２グループ識別情報とのうちいずれか一つが含まれてもよい。
【００６０】
一方、段階Ｓ３２０は、図２を参照して説明した段階Ｓ２１０と対応する。
【００６１】
段階Ｓ３３０において、端末１４０は、リレー端末１３０から、近接端末間通信サービスでのレイヤ２グループ識別情報を含んだモニタリング応答メッセージを受信する。
【００６２】
一実施形態によるリレー端末１３０は、セル内でブロードキャスティングされるＭＢＭＳ ＳＡＩに係わるリストを獲得することができる。リレー端末１３０は、端末１４０から受信した要請メッセージに含まれた少なくとも１つのＭＢＭＳ ＳＡＩを、リスト内で検出することができる。
【００６３】
端末１４０は、リレー端末１３０が、要請メッセージに含まれた少なくとも１つのＭＢＭＳ ＳＡＩを、リスト内で検出することにより、モニタリング応答メッセージを、リレー端末１３０から受信することができる。
【００６４】
ここで、該モニタリング応答メッセージには、近接端末間通信サービスのためのレイヤ２グループ識別情報、及びＴＭＧＩモニタリングリフレッシュタイマに係わる情報が含まれてもよい。ここで、該レイヤ２グループ識別情報は、例えば、Ｐｒｏｓｅ Layer ２ Group ＩＤ＿trafficでもある。レイヤ２グループ識別情報は、端末に、該端末のＴＭＧＩ情報と係わるｅＭＢＭＳコンデンツデータの提供にも利用される。
【００６５】
一方、ＴＭＧＩモニタリングリフレッシュタイマは、リレー端末１３０によっても選択されるタイマが満了する場合、端末１４０は、ＴＭＧＩ情報が必要であるならば、モニタリング要請メッセージを、リレー端末１３０に送信することができる。端末１４０が、ＴＭＧＩモニタリングリプレイタイマが満了する場合、モニタリング要請メッセージを送信しないならば、リレー端末１３０は、ＴＭＧＩ情報のモニタリングを中断し、ＴＭＧＩ情報に係わるデータを送信しない。
【００６６】
段階Ｓ３４０において、端末１４０は、リレー端末１３０が、既保存のＴＭＧＩリスト内において、端末１３０のＴＭＧＩ情報を検出することにより、レイヤ２グループ識別情報を含んだＴＭＧＩ公知メッセージを受信する。
【００６７】
一実施形態によるリレー端末１３０は、ＴＭＧＩ公知メッセージを送信することにより、ＴＭＧＩが利用可能であるということと、グループ識別子情報とをブロードキャスティングすることができる。ＴＭＧＩ公知メッセージは、ＴＭＧＩモニタリングリフレッシュタイマより短周期で、リレー端末１３０から端末１４０にも送信される。ここで、ＴＭＧＩ公知メッセージに含まれたＴＭＧＩ情報は、他の端末がリレー端末を選択するのに参照することができる。
【００６８】
段階Ｓ３５０において、端末１４０は、レイヤ２グループ識別情報を利用して、ＴＭＧＩと係わるデータを受信することができる。
【００６９】
一実施形態による端末１４０は、レイヤ２グループ識別情報を利用して、ＴＭＧＩと係わるデータを、近接端末間通信サービスで提供するＰＣ５を介して、受信することができる。
【００７０】
また、一実施形態による端末１４０は、ユニキャストディストリビューションレッグを解除することもできる。
【００７１】
一方、ＴＭＧＩ公知メッセージに含まれたＴＭＧＩ情報に属した端末は、ＴＭＧＩモニタリング要請及び応答手続きが完了する以前、グループＩＤを利用して、ｅＭＢＭＳコンテンツデータを受信することもできる。
【００７２】
段階Ｓ３６０において、端末１４０は、ＧＣＳ ＡＳに、ユニキャストディストリビューションレッグを要請することができる。
【００７３】
一実施形態による端末１４０は、ＴＭＧＩモニタリングリフレッシュタイマ満了により、ＴＭＧＩ公知メッセージを受信することができない。端末１４０は、ＴＭＧＩモニタリングが持続して必要ではない場合、段階Ｓ３２０のモニタリング要請メッセージを、リレー端末１３０に送信しない。
【００７４】
他の例によって、端末１４０は、ＴＭＧＩモニタリングが持続して必要である場合、モニタリング要請メッセージを、リレー端末１３０に送信することができる。
【００７５】
段階Ｓ３７０において、端末１４０は、近接端末間通信サービスで提供するＰＣ５を介して、コンテンツデータを受信することを中断することができる。
【００７６】
一方、段階Ｓ３６０及び段階Ｓ３７０は、セルカバレージ内において、ｅＭＢＭＳコンテンツデータを受信することができない時点により、その順序が変更されもする。
【００７７】
図４は、一実施形態による、リレー端末１３０が、セルカバレージ外部にある端末１４０にＧＣＳ ＡＳのシグナル及びデータを受信する方法について説明するためのフローチャートである。
【００７８】
段階Ｓ４１０において、リレー端末１３０は、セルカバレージ外部に位置した端末１４０から、ＴＭＧＩ情報のモニタリングを要請する要請メッセージを受信する。一実施形態による要請メッセージには、端末１４０のＴＭＧＩ情報、及び少なくとも１つのＭＢＭＳ ＳＡＩなどが含まれてもよい。
【００７９】
一方、それは、一実施形態であるのみ、他の例によって、要請メッセージには、端末１４０が、近接端末間通信サービスのためにあらかじめ提供されたレイヤ２グループ識別情報が、さらに含まれてもよい。また、さらに他の例によって、要請メッセージには、ＴＭＧＩ情報、少なくとも１つのＭＢＭＳ ＳＡＩ以外に、レイヤ２グループ識別情報と、リレー端末１３０を介したデータ受信のためにすでに設定されているリレーレイヤ２グループ識別情報とのうちいずれか一つが含まれてもよい。
【００８０】
段階Ｓ４２０において、リレー端末１３０は、ＭＢＭＳ ＳＡＩリストから、端末１４０の要請メッセージに含まれたＭＢＭＳ ＳＡＩが検出されることにより、近接サービス通信でのレイヤ２グループ識別情報を含んだモニタリング応答メッセージを送信する。
【００８１】
ここで、該モニタリング応答メッセージには、近接端末間通信サービスのためのレイヤ２グループ識別情報、及びＴＭＧＩモニタリングリフレッシュタイマに係わる情報が含まれてもよい。ただし、それは、一実施形態であるのみ、該モニタリング応答メッセージに含まれた情報は、前述のところに限定されるものではない。
【００８２】
段階Ｓ４３０において、リレー端末１３０は、端末１４０のＴＭＧＩ情報を検出することにより、レイヤ２グループ識別情報を含んだＴＭＧＩ公知メッセージを受信する。
【００８３】
一実施形態によって、リレー端末１３０は、ＴＭＧＩモニタリングリフレッシュタイマより短周期で反復し、ＴＭＧＩ公知メッセージを端末１４０に送信することができる。ここで、ＴＭＧＩ公知メッセージに含まれたＴＭＧＩ情報は、リレー端末選択のための参照情報として、他の端末にも利用される。
【００８４】
一方、他の例によって、ＴＭＧＩ公知メッセージには、レイヤ２グループ識別情報及びリレーレイヤ２グループ識別情報のうちいずれか一つが含まれてもよい。
【００８５】
段階Ｓ４４０において、リレー端末１４０は、レイヤ２グループ識別情報を利用して、ＴＭＧＩと係わるデータを受信する。
【００８６】
一実施形態によるリレー端末１３０は、レイヤ２グループ識別情報を利用して、ＴＭＧＩと係わるデータを、近接端末間通信サービスで提供する無線インターフェースを介して、端末１４０に送信することができる。例えば、無線インターフェースは、ＰＣ５でもある。
【００８７】
図４は、一実施形態による、リレー端末１３０が、セルカバレージ外部にある端末１４０に、ＴＭＧＩ情報及びレイヤ２グループ識別情報を提供する方法について説明するためのフローチャートである。
【００８８】
段階Ｓ４１０において、リレー端末１３０は、セルカバレージ外部に位置した端末１４０から、ＴＭＧＩ情報のモニタリングを要請する要請メッセージを受信する。一実施形態による要請メッセージには、端末１４０のＴＭＧＩ情報、及び少なくとも１つのＭＢＭＳ ＳＡＩなどが含まれてもよい。
【００８９】
一方、それは、一実施形態であるのみ、他の例によって、要請メッセージには、端末１４０が、近接端末間通信サービスのためにあらかじめ提供されたレイヤ２グループ識別情報が、さらに含まれてもよい。また、さらに他の例によって、要請メッセージには、ＴＭＧＩ情報、少なくとも１つのＭＢＭＳ ＳＡＩ以外に、レイヤ２グループ識別情報と、リレー端末１３０を介したデータ受信のためにすでに設定されているリレーレイヤ２グループ識別情報とのうちいずれか一つが含まれてもよい。
【００９０】
段階Ｓ４２０において、リレー端末１３０は、ＭＢＭＳ ＳＡＩリストから、端末１４０の要請メッセージに含まれたＭＢＭＳ ＳＡＩが検出されることにより、近接サービス通信でのレイヤ２グループ識別情報を含んだモニタリング応答メッセージを送信する。
【００９１】
ここで、該モニタリング応答メッセージには、近接端末間通信サービスのためのレイヤ２グループ識別情報、及びＴＭＧＩモニタリングリフレッシュタイマに係わる情報が含まれてもよい。ただし、それは、一実施形態であるのみ、モニタリング応答メッセージに含まれた情報は、前述のところに限定されるものではない。
【００９２】
段階Ｓ４３０において、リレー端末１３０は、端末１４０のＴＭＧＩ情報を検出することにより、レイヤ２グループ識別情報を含んだＴＭＧＩ公知メッセージを送信する。
【００９３】
一実施形態によって、リレー端末１３０は、ＴＭＧＩモニタリングリフレッシュタイマより短周期で反復し、ＴＭＧＩ公知メッセージを端末１４０に送信することができる。ここで、ＴＭＧＩ公知メッセージに含まれたＴＭＧＩ情報は、リレー端末選択のための参照情報として、他の端末にも利用される。
【００９４】
一方、他の例によって、ＴＭＧＩ公知メッセージには、レイヤ２グループ識別情報及びリレーレイヤ２グループ識別情報のうちいずれか一つが含まれてもよい。
【００９５】
段階Ｓ４４０において、リレー端末１３０は、レイヤ２グループ識別情報を利用して、ＴＭＧＩと係わるデータを送信する。
【００９６】
一実施形態によるリレー端末１３０は、レイヤ２グループ識別情報を利用して、ＴＭＧＩと係わるデータを、近接端末間通信サービスで提供する無線インターフェースを介して、端末１４０に送信することができる。例えば、無線インターフェースは、ＰＣ５でもある。
【００９７】
図５は、一実施形態による、リレー端末１３０が、セルカバレージ外部にある端末１４０に、ＴＭＧＩ情報及びレイヤ２グループ識別情報を提供する方法について、さらに詳細に説明するためのフローチャートである。
【００９８】
段階Ｓ５１０において、リレー端末１３０は、端末１４０とセッションを設定することができる。
【００９９】
段階Ｓ５２０において、リレー端末１３０は、セルカバレージ外部に位置した端末１４０から、ＴＭＧＩ情報のモニタリングを要請する要請メッセージを受信する。一実施形態による要請メッセージには、端末１４０のＴＭＧＩ情報、及び少なくとも１つのＭＢＭＳ ＳＡＩなどが含まれてもよい。
【０１００】
一方、段階Ｓ５２０は、段階Ｓ４１０と対応する。
【０１０１】
段階Ｓ５３０において、リレー端末１３０は、ＭＢＭＳ ＳＡＩリストから、端末１４０の要請メッセージに含まれたＭＢＭＳ ＳＡＩを検出することができる。
【０１０２】
段階Ｓ５４０において、リレー端末１３０は、端末１４０の要請メッセージに含まれたＭＢＭＳ ＳＡＩが検出されることにより、近接サービス通信でのレイヤ２グループ識別情報を含んだモニタリング応答メッセージを送信することができる。
【０１０３】
一方、段階Ｓ５４０は、段階Ｓ４２０と対応する。
【０１０４】
段階Ｓ５５０において、リレー端末１３０は、端末１４０のＴＭＧＩ情報を検出することができる。例えば、リレー端末１３０は、セルカバレージ内部でブロードキャスティングされる少なくとも１つのＴＭＧＩ情報のうち端末１４０のＴＭＧＩ情報を検出することができる。
【０１０５】
段階Ｓ５６０において、リレー端末１３０は、端末１４０のＴＭＧＩ情報を検出することにより、レイヤ２グループ識別情報を含んだＴＭＧＩ公知メッセージを送信する。
【０１０６】
一実施形態によって、リレー端末１３０は、ＴＭＧＩモニタリングリフレッシュタイマより短周期で反復し、ＴＭＧＩ公知メッセージを端末１４０に送信することができる。ここで、ＴＭＧＩ公知メッセージに含まれたＴＭＧＩ情報は、リレー端末選択のための参照情報として、他の端末にも利用される。
【０１０７】
一方、他の例によって、ＴＭＧＩ公知メッセージには、レイヤ２グループ識別情報及びリレーレイヤ２グループ識別情報のうちいずれか一つが含まれてもよい。
【０１０８】
段階Ｓ５７０において、リレー端末１３０は、レイヤ２グループ識別情報を利用して、ＴＭＧＩと係わるデータを送信する。
【０１０９】
段階Ｓ５８０において、リレー端末１３０は、ＴＭＧＩモニタリングリフレッシュタイマ満了により、ＴＭＧＩ公知メッセージ送信及びデータ送信を中断することができる。
【０１１０】
一実施形態によるリレー端末１３０は、ＴＭＧＩモニタリングリフレッシュタイマが終了した後、端末１４０からモニタリング要請メッセージが受信されない場合、ＴＭＧＩ公知メッセージ送信及びデータ送信を中断することができる。
【０１１１】
他の例によって、リレー端末１３０は、ＴＭＧＩモニタリングリフレッシュタイマが終了した後、端末１４０からモニタリング要請メッセージが送信される場合、次のＴＭＧモニタリングリフレッシュタイマが満了するまで、公知メッセージ及びデータを端末１４０に送信することができる。
【０１１２】
図６は、一実施形態による、リレー端末１３０、及びセルカバレージ外部にある端末１４０が、ＧＣＳ ＡＳのシグナル及びデータを送受信する方法について説明するためのフローチャートである。
【０１１３】
段階Ｓ６１０において、端末１４０は、近接端末間通信サービスを提供されるためのリレー端末１３０の選択、ＩＰ連結及びＧＣＳ−ＡＳ登録を行うことができる。
【０１１４】
一実施形態による端末１４０は、リレー端末１３０と、一対一通信セッションが設定された後、端末１３０がグループ通信アプリケーションサービスと係わるユーザサービスディスクリプションを提供される。端末１４０がセルカバレージ外部に出る前にリレーセッションを選択する場合、端末１４０は、セッション設定後、ユーザサービスディスクリプションを提供されもする。ただし、それは、一実施形態であるのみ、端末１４０は、セッション設定以前に、ユーザサービスディスクリプションを提供されもする。
【０１１５】
セルカバレージ外部に位置した端末１４０は、セルカバレージ内部に位置したリレー端末に、ＴＭＧＩ情報のモニタリングを要請するための要請メッセージを送信する。
【０１１６】
段階Ｓ６２０において、セルカバレージ外部に位置した端末１４０は、セルカバレージ内部に位置したリレー端末１３０に、ＴＭＧＩ情報のモニタリングを要請するための要請メッセージを送信することができる。
【０１１７】
段階Ｓ６３０において、リレー端末１３０は、ＭＢＭＳ ＳＡＩリストから、端末１４０の要請メッセージに含まれたＭＢＭＳ ＳＡＩを検出することができる。一実施形態によるリレー端末１３０は、リレー端末１３０がキャンプオンされたセルからブロードキャストされるＭＢＭＳ ＳＡＩリストを受信することができる。リレー端末１３０は、受信したＭＢＭＳ ＳＡＩリスト内に、端末１４０の要請メッセージに含まれたＭＢＭＳ ＳＡＩが存在する否かということを確認することができる。
【０１１８】
段階Ｓ６４０において、リレー端末１３０は、端末１４０の要請メッセージに含まれたＭＢＭＳ ＳＡＩが検出されることにより、近接サービス通信でのレイヤ２グループ識別情報を含んだモニタリング応答メッセージを送信することができる。
【０１１９】
段階Ｓ６５０において、リレー端末１３０は、端末１４０のＴＭＧＩ情報を検出することができる。例えば、リレー端末１３０は、セルカバレージ内部でブロードキャスティングされる少なくとも１つのＴＭＧＩ情報のうち端末１４０のＴＭＧＩ情報を検出することができる。
【０１２０】
段階Ｓ６６０において、リレー端末１３０は、端末１４０のＴＭＧＩ情報を検出することにより、レイヤ２グループ識別情報を含んだＴＭＧＩ公知メッセージを送信することができる。
【０１２１】
一実施形態によって、リレー端末１３０は、ＴＭＧＩモニタリングリフレッシュタイマより短周期で反復し、ＴＭＧＩ公知メッセージを端末１４０に送信することができる。
【０１２２】
段階Ｓ６７０において、端末１４０は、ＴＭＧＩ関連コンテンツデータを受信し、ＧＣＳ ＡＳに、ユニキャストディストリビューションレッグ解除を要請することができる。
【０１２３】
段階Ｓ６８０において、リレー端末１３０は、ＴＭＧＩ公知メッセージを送信することと、近接端末間通信サービスで提供するＰＣ５を介して、コンテンツデータを送信することとを中断することができる。
【０１２４】
段階Ｓ６９０において、端末１４０のコンテンツデータ受信が中断される。一実施形態による端末１４０は、ＴＭＧＩモニタリングリフレッシュタイマ満了により、ＴＭＧＩ公知メッセージを受信することができない。端末１４０は、ＴＭＧＩモニタリングが持続して必要ではない場合、段階Ｓ３２０のモニタリング要請メッセージを、リレー端末１３０に送信しない。
【０１２５】
一方、段階Ｓ６８０及び段階Ｓ６９０は、セルカバレージ内において、ｅＭＢＭＳコンテンツデータを受信することができない時点により、その順序が変更されもする。
【０１２６】
図７は、他の実施形態による、リレー端末１３０、及びセルカバレージ外部にある端末１４０が、ＧＣＳ ＡＳのシグナル及びデータを送受信する方法について説明するためのフローチャートである。
【０１２７】
段階Ｓ７１０において、端末１４０は、近接端末間通信サービスを提供されるためのリレー端末１３０の選択、ＩＰ連結及びＧＣＳ−ＡＳ登録を行うことができる。
【０１２８】
セルカバレージ外部に位置した端末１４０は、セルカバレージ内部に位置したリレー端末に、ＴＭＧＩ情報のモニタリングを要請するための要請メッセージを送信する。
【０１２９】
段階Ｓ７２０において、セルカバレージ外部に位置した端末１４０は、セルカバレージ内部に位置したリレー端末１３０に、ＴＭＧＩ情報のモニタリングを要請するための要請メッセージを送信することができる。ここで、該要請メッセージには、端末１４０のＴＭＧＩ情報、ＴＭＧＩＭＢＭＳ ＳＡＩｓ情報、及びレイヤ２グループ識別情報が含まれてもよい。
【０１３０】
段階Ｓ７３０において、リレー端末１３０は、ＭＢＭＳ ＳＡＩリストから、端末１４０の要請メッセージに含まれたＭＢＭＳ ＳＡＩを検出することができる。
【０１３１】
一方、段階Ｓ７３０は、図６を参照して説明した段階Ｓ６３０と対応する。
【０１３２】
段階Ｓ７４０において、リレー端末１３０は、端末１４０の要請メッセージに含まれたＭＢＭＳ ＳＡＩが検出されることにより、近接サービス通信でのレイヤ２グループ識別情報を含んだモニタリング応答メッセージを送信することができる。
【０１３３】
一方、段階Ｓ７４０は、図６を参照して説明した段階Ｓ６４０と対応する。
【０１３４】
段階Ｓ７５０において、リレー端末１３０は、端末１４０のＴＭＧＩ情報を検出することができる。
【０１３５】
一方、段階Ｓ７５０は、図６を参照して説明した段階Ｓ６５０と対応する。
【０１３６】
段階Ｓ７６０において、リレー端末１３０は、端末１４０のＴＭＧＩ情報を検出することにより、レイヤ２グループ識別情報を含んだＴＭＧＩ公知メッセージを送信することができる。
【０１３７】
一方、段階Ｓ７６０は、図６を参照して説明した段階Ｓ６６０と対応する。
【０１３８】
段階Ｓ７７０において、端末１４０は、ＴＭＧＩ関連コンテンツデータを受信し、ＧＣＳ ＡＳに、ユニキャストディストリビューションレッグ解除を要請することができる。
【０１３９】
一方、段階Ｓ７７０は、図６を参照して説明した段階Ｓ６７０と対応する。
【０１４０】
段階Ｓ７８０において、リレー端末１３０は、ＴＭＧＩ公知メッセージを送信することと、近接端末間通信サービスで提供するＰＣ５を介して、コンテンツデータを送信することとを中断することができる。
【０１４１】
一方、段階Ｓ７８０は、図６を参照して説明した段階Ｓ６８０と対応する。
【０１４２】
段階Ｓ７９０において、端末１４０のコンテンツデータ受信が中断される。
【０１４３】
一方、段階Ｓ７９０は、図６を参照して説明した段階Ｓ６９０と対応する。
【０１４４】
一方、段階Ｓ７８０及び段階Ｓ７９０は、セルカバレージ内において、ｅＭＢＭＳコンテンツデータを受信することができない時点により、その順序が変更されもする。
【０１４５】
図８は、他の実施形態による、リレー端末１３０、及びセルカバレージ外部にある端末１４０が、ＧＣＳ ＡＳのシグナル及びデータを送受信する方法について説明するためのフローチャートである。
【０１４６】
段階Ｓ８１０において、端末１４０は、近接端末間通信サービスを提供されるためのリレー端末１３０の選択、ＩＰ連結及びＧＣＳ−ＡＳ登録を行うことができる。
【０１４７】
段階Ｓ８２０において、セルカバレージ外部に位置した端末１４０は、セルカバレージ内部に位置したリレー端末１３０に、ＴＭＧＩ情報のモニタリングを要請するための要請メッセージを送信することができる。ここで、該要請メッセージには、端末１４０のＴＭＧＩ情報、ＴＭＧＩＭＢＭＳ ＳＡＩｓ情報及びリレーレイヤ２グループ識別情報が含まれてもよい。
【０１４８】
段階Ｓ８３０において、リレー端末１３０は、ＭＢＭＳ ＳＡＩリストから、端末１４０の要請メッセージに含まれたＭＢＭＳ ＳＡＩを検出することができる。
【０１４９】
一方、段階Ｓ８３０は、図６を参照して説明した段階Ｓ６３０と対応する。
【０１５０】
段階Ｓ８４０において、リレー端末１３０は、端末１４０の要請メッセージに含まれたＭＢＭＳ ＳＡＩが検出されることにより、近接サービス通信でのリレーレイヤ２グループ識別情報を含んだモニタリング応答メッセージを送信することができる。
【０１５１】
一方、段階Ｓ８４０は、図６を参照して説明した段階Ｓ６４０と対応する。
【０１５２】
段階Ｓ８５０において、リレー端末１３０は、端末１４０のＴＭＧＩ情報を検出することができる。
【０１５３】
一方、段階Ｓ８５０は、図６を参照して説明した段階Ｓ６５０と対応する。
【０１５４】
段階Ｓ８６０において、リレー端末１３０は、端末１４０のＴＭＧＩ情報を検出することにより、レイヤ２グループ識別情報を含んだＴＭＧＩ公知メッセージを送信することができる。
【０１５５】
一方、段階Ｓ８６０は、図６を参照して説明した段階Ｓ６６０と対応する。
【０１５６】
段階Ｓ８７０において、端末１４０は、ＴＭＧＩ関連コンテンツデータを受信し、ＧＣＳ ＡＳに、ユニキャストディストリビューションレッグ解除を要請することができる。
【０１５７】
一方、段階Ｓ８７０は、図６を参照して説明した段階Ｓ６７０と対応する。
【０１５８】
段階Ｓ８８０において、リレー端末１３０は、ＴＭＧＩ公知メッセージを送信することと、近接端末間通信サービスで提供するＰＣ５を介して、コンテンツデータを送信することとを中断することができる。
【０１５９】
一方、段階Ｓ８８０は、図６を参照して説明した段階Ｓ６８０と対応する。
【０１６０】
段階Ｓ８９０において、端末１４０のコンテンツデータ受信が中断される。
【０１６１】
一方、段階Ｓ８９０は、図６を参照して説明した段階Ｓ６９０と対応する。
【０１６２】
一方、段階Ｓ８８０及び段階Ｓ８９０は、セルカバレージ内において、ｅＭＢＭＳコンテンツデータを受信することができない時点により、その順序が変更されもする。
【０１６３】
図９は、一実施形態による、リレー端末１３０、並びにセルカバレージ外部にある端末１及び端末２が、ＧＣＳ ＡＳのシグナル及びデータを送受信する方法について説明するためのフローチャートである。
【０１６４】
段階Ｓ９０５で、端末１は、近接端末間通信サービスを提供されるためのリレー端末１３０の選択、ＩＰ連結及びＧＣＳ−ＡＳ登録を行うことができる。
【０１６５】
一実施形態による端末１は、セルカバレージ外部に移動する前、リレー端末１３０と一対一通信セッションを設定することができる。一方、端末１は、リレー端末１３０と一対一通信セッションを設定する以前またはその後、グループ通信アプリケーションサービスと係わるユーザサービスディスクリプションを提供される。
【０１６６】
段階Ｓ９１０において、セルカバレージ外部に位置した端末１は、セルカバレージ内部に位置したリレー端末１３０に、ＴＭＧＩ情報のモニタリングを要請するための要請メッセージを送信することができる。
【０１６７】
段階Ｓ９１５において、リレー端末１３０は、ＭＢＭＳ ＳＡＩリストから、端末１の要請メッセージに含まれたＭＢＭＳ ＳＡＩを検出することができる。一実施形態によるリレー端末１３０は、リレー端末１３０がキャンプオンされたセルからブロードキャストされるＭＢＭＳ ＳＡＩリストを受信することができる。リレー端末１３０は、受信したＭＢＭＳ ＳＡＩリスト内に、端末１の要請メッセージに含まれたＭＢＭＳ ＳＡＩが存在する否かということを確認することができる。
【０１６８】
段階Ｓ９２０において、リレー端末１３０は、端末１の要請メッセージに含まれたＭＢＭＳ ＳＡＩが検出されることにより、近接サービス通信でのレイヤ２グループ識別情報を含んだモニタリング応答メッセージを送信することができる。ここで、レイヤ２グループ識別情報は、リレー端末１３０によって任意に選択されるものができる。また、他の例によって、リレー端末１３０に、レイヤ２グループ識別情報があらかじめ保存されもする。
【０１６９】
段階Ｓ９２５で、リレー端末１３０は、端末１のＴＭＧＩ情報を検出することができる。例えば、リレー端末１３０は、セルカバレージ内部でブロードキャスティングされる少なくとも１つのＴＭＧＩ情報のうち端末１のＴＭＧＩ情報を検出することができる。
【０１７０】
段階Ｓ９３０において、リレー端末１３０は、端末１のＴＭＧＩ情報を検出することにより、レイヤ２グループ識別情報を含んだＴＭＧＩ公知メッセージを送信することができる。
【０１７１】
一方、一実施形態によって、端末２が、リレー端末１３０から送信されるＴＭＧＩ公知メッセージを受信することができる。
【０１７２】
段階Ｓ９３５において、端末１及び端末２は、ＴＭＧＩ関連コンテンツデータを受信することができる。該端末２は、ＴＭＧＩモニタリング過程を経ず、段階Ｓ９３０で受信したＴＭＧＩ公知メッセージを介して、ＴＭＧＩ関連コンテンツを受信することができる。
【０１７３】
段階Ｓ９４０において、該端末２は、近接端末間通信サービスを提供されるためのリレー端末の選択、ＩＰ連結及びＧＣＳ−ＡＳ登録を行うことができる。
【０１７４】
段階Ｓ９４５において、セルカバレージ外部に位置した端末２は、セルカバレージ内部に位置したリレー端末１３０に、ＴＭＧＩ情報のモニタリングを要請するためのモニタリング要請メッセージを送信することができる。
【０１７５】
段階Ｓ９５０において、リレー端末は、該端末２のモニタリング要請メッセージに含まれたＭＢＭＳ ＳＡＩが検出されることにより、近接サービス通信でのレイヤ２グループ識別情報を含んだモニタリング応答メッセージを送信することができる。
【０１７６】
一方、段階Ｓ９３５、及び一連の段階Ｓ９４０ないし段階Ｓ９５０は、同時に遂行されもする。また、他の例によって、一連の段階Ｓ９４０ないし段階Ｓ９５０、及び段階Ｓ９３５の順序が互いに変更されて遂行されもする。
【０１７７】
図１０は、本発明の実施形態が具現される端末１４０を示したブロック図である。
【０１７８】
端末１４０は、プロセッサ１４１、ＲＦ部（radio frequency unit）１４２及びメモリー１４３を含む。
【０１７９】
プロセッサ１４１は、提案された機能、過程及び／または方法を具現する。前述の端末１４０の動作は、プロセッサ１４１によっても具現される。プロセッサ１４１は、リレー端末１３０に、ＴＭＧＩ情報のモニタリングを要請するための要請メッセージを送信する。
【０１８０】
プロセッサ１４１は、リレー端末１３０から、近接端末間通信サービスでのレイヤ２グループ識別情報を含んだモニタリング応答メッセージを受信する。
【０１８１】
一実施形態によるプロセッサ１４１は、リレー端末１３０が、端末１４０の要請メッセージに含まれた少なくとも１つのＭＢＭＳ ＳＡＩのうち少なくとも一つを検出することにより、リレー端末１３０から、モニタリング応答メッセージを受信することができる。
【０１８２】
一実施形態によるプロセッサ１４１は、リレー端末１３０が、既保存のＴＭＧＩリスト内において、端末１３０のＴＭＧＩ情報を検出することにより、レイヤ２グループ識別情報を含んだＴＭＧＩ公知メッセージを受信する。
【０１８３】
ＲＦ部１４２は、プロセッサ１４１と連結され、無線信号を送信及び／または受信する。
【０１８４】
メモリ１４３は、プロセッサ１４１と連結され、動作のためのプロトコルやパラメータを保存する。例えば、メモリ１４３は、ユーザサービスディスクリプション（user service description）を保存することができる。
【０１８５】
図１１は、本発明の実施形態が具現されるリレー端末１３０を示したブロック図である。
【０１８６】
リレー端末１３０は、プロセッサ１３１、ＲＦ部１３２及びメモリ１３３を含んでもよい。
【０１８７】
プロセッサ１３１は、提案された機能、過程及び／または方法を具現する。前述のリレー端末１３０の動作は、プロセッサ１３１によっても具現される。プロセッサ１３１は、セルカバレージ外部に位置した端末１４０から、ＴＭＧＩ情報のモニタリングを要請する要請メッセージを受信する。
【０１８８】
プロセッサ１３１は、ＭＢＭＳ ＳＡＩリストから、端末１４０の要請メッセージに含まれたＭＢＭＳ ＳＡＩが検出されることにより、近接サービス通信でのレイヤ２グループ識別情報を含んだモニタリング応答メッセージを送信する。
【０１８９】
プロセッサ１３１は、端末１４０のＴＭＧＩ情報を検出することにより、レイヤ２グループ識別情報を含んだＴＭＧＩ公知メッセージを送信する。プロセッサ１３１は、ＴＭＧＩモニタリングリフレッシュタイマより短周期で反復し、ＴＭＧＩ公知メッセージを端末１４０に送信することができる。
【０１９０】
プロセッサ１３１は、レイヤ２グループ識別情報を利用して、ＴＭＧＩと係わるデータを送信する。
【０１９１】
ＲＦ部１３２は、プロセッサ１３１と連結され、無線信号を送信及び／または受信する。
【０１９２】
メモリ１３３は、プロセッサ１３１と連結され、動作のためのプロトコルやパラメータを保存する。例えば、メモリ１３３は、ＭＢＭＳ ＳＡＩリストを保存することができる。
【０１９３】
プロセッサは、ＡＳＩＣ（application-specific integrated circuit）、他のチップセット、論理回路及び／またはデータ処理装置を含んでもよい。メモリは、ＲＯＭ（read-only memory）、ＲＡＭ（random access memory）、フラッシュメモリ、メモリカード、記録媒体、及び／または他の保存装置を含んでもよい。ＲＦ部は、無線信号を処理するためのベースバンド回路を含んでもよい。一実施形態がソフトウェアによって具現されるとき、前述の技法は、前述の機能を遂行するモジュール（過程、機能など）によっても具現される。該モジュールは、メモリに保存され、プロセッサによっても実行される。該メモリは、プロセッサ内部またはその外部にあり、周知の多様な手段でプロセッサと連結される。
【０１９４】
前述の例示的なシステムにおいて、方法は、一連の段階またはブロックでもって、フローチャートを基に説明されているが、本発明は、該段階の順序に限定されるものではなく、ある段階は、前述のところと異なる段階、異なる順序、あるいは同時にも生じる。また、当業者であるならば、フローチャートに示された段階が排他的なものではなく、他の段階が含まれたり、フローチャートの一つ、またはそれ以上の段階が、本発明の範囲に影響を及ぼさずに削除されたりもするということを理解することができるであろう。
【０１９５】
前述の実施形態は、多様な様態の例示を含む。多様な様態を示すためのあらゆる可能な組み合わせを記述するものではないが、当該技術分野の当業者であるならば、他の組み合わせが可能であるということを認識することができるであろう。従って、本発明は、特許請求の範囲内に属する全ての他の交替、修正及び変更を含むものである。
【０１９６】
開示された実施形態は、機能的なブロック構成及び多様な処理段階でも示される。かような機能ブロックは、特定機能を実行する多様な個数のハードウェア構成または／及びソフトウェア構成によっても具現される。例えば、開示された実施形態は、１以上のマイクロプロセッサの制御、または他の制御装置によって多様な機能を実行することができる、メモリ、プロセッシング、ロジック（logic）、ルックアップテーブル（look-up table）のような直接回路構成を採用することができる。開示された実施形態の構成要素が、ソフトウェアプログラミングまたはソフトウェア要素で実行されるところと類似して、開示された実施形態は、データ構造、プロセス、ルーチン、または他のプログラミング構成の組み合わせによって具現される多様なアルゴリズムを含み、Ｃ、Ｃ＋＋、ジャバ（Java（登録商標））、アセンブラ（assembler）のようなプログラミング言語またはスクリプティング言語によっても具現される。機能的な側面は、１以上のプロセッサで実行されるアルゴリズムによっても具現される。また、開示された実施形態は、電子的な環境設定、信号処理、及び／またはデータ処理などのために、従来技術を採用することができる。「メカニズム」、「要素」、「手段」、「構成」のような用語は、汎用され、機械的であって物理的な構成として限定されるものではない。前記用語は、プロセッサなどと連繋し、ソフトウェアの一連の処理（routines）の意味を含んでもよい。
【０１９７】
開示された実施形態で説明する特定実行は、一実施形態であり、いかなる方法によっても、開示された実施形態の範囲を限定するものではない。明細書の簡潔さのために、従来の電子的な構成、制御システム、ソフトウェア、該システムの他の機能的な側面の記載は省略される。また、図面に図示された構成要素間の線連結または連結部材は、機能的な連結、及び／または物理的または回路的な連結を例示的に示したものであり、実際の装置においては、代替可能であったり追加されたりする多様な機能的な連結、物理的な連結または回路連結としても示される。また、「必須な」、「重要に」のように、具体的な言及がなければ、開示された実施形態適用のために必ずしも必要な構成要素ではないこともある。
【符号の説明】
【０１９８】
１３０  リレー端末
１３１  プロセッサ
１３２  RF部
１３３  メモリ
１４０  端末
１４１  プロセッサ
１４２  RF部
１４３  メモリ
【図１】
2018524853.tif 000003
【図２】
2018524853.tif 000004
【図３】
2018524853.tif 000005
【図４】
2018524853.tif 000006
【図５】
2018524853.tif 000007
【図６】
2018524853.tif 000008
【図７】
2018524853.tif 000009
【図８】
2018524853.tif 000010
【図９】
2018524853.tif 000011
【図１０】
2018524853.tif 000012
【図１１】
2018524853.tif 000013
【国際調査報告】
2018524853.tif 000014
2018524853.tif 000015